(57)【要約】【課題】公知のイヤフォンのダブルジョイント功能を兼具し、複数者で同時に使用することを可能とすること。【解決手段】イヤフォンが外にケーブルを延伸し、ケーブルの一端のイヤフォン端子は少なくとも一つの連接ポートを有する。この連接ポートは、その他のイヤフォン端子を接続することができる。【選択図】図２
0003136234.tif 000002
【実用新案登録請求の範囲】
【請求項１】
音響効果を再生する少なくとも一つのイヤフォンを有し、該イヤフォンは外部に少なくとも一つのケーブルを延伸するとともに、該ケーブルの一端にイヤフォン端子を設置した音響効果再生装置であって、
前記イヤフォン端子上に、少なくとも一つの連接ポートを設置することを特徴とする、
音響効果再生装置。
【請求項２】
イヤフォン端子は携帯式デジタル音楽プレーヤー上の端子スロットと連接し、音響効果は、前記携帯式デジタル音楽プレーヤーにより提供されることを特徴とする、請求項１に記載の音響効果再生装置。
【請求項３】
連接ポートは、イヤフォンと連接されることを特徴とする、請求項１に記載の音響効果再生装置。
【請求項４】
連接ポートは、ユニバーサルシリアルバス(ＵＳＢ, Universal Serial Bus)連接ポート、フォン／ミニフォン（Phone/Mini-phone）イヤフォン連接ポート、同軸（Coaxial）連接ポート、高精細度マルチメディアインターフェース(ＨＤＭＶ, High-Definition Multimedia Interface)連接ポートの何れかであることを特徴とする請求項１に記載の音響効果再生装置。
【考案の詳細な説明】
【技術分野】
【０００１】
本考案は、音響効果再生装置に関するものであって、特に、少なくとも一つの連接ポートを有し、連接ポートにその他の音響効果再生装置を接続できる音響効果再生装置に関するものである。
【背景技術】
【０００２】
イヤフォンダブルジョイントは現在常用されているアダプタである。
主な機能は共用である。現在の携帯式音楽プレーヤー、例えば、有線のイヤフォンは、その主体構造は、イヤフォンの箇所からケーブルが外に延伸し、ケーブルのもう一端はイヤフォン端子を有する。
イヤフォン端子は、直接、音響効果装置上の端子スロットと連接する。
音響効果再生装置上に一つの端子スロットだけ有する時、一つのイヤフォンしか使用できない。
【０００３】
同時に二個のイヤフォンを使用する場合、イヤフォンダブルジョイントを購買する必要がある。
同時に、二個のイヤフォンを使用する実施方式は、図１で示されるように、イヤフォンダブルジョイント１６一側に連接ポート１８を設置し、連接ポート１８は音響効果再生装置１２上の連接ポート１４と対応する。
イヤフォンダブルジョイント１６は、連接ポート１８により、音響効果再生装置１２上の連接ポート１４と結合する。
イヤフォンダブルジョイント１６のもう一側は、二個の端子スロット２０、２０を有する。
端子スロット２０は、イヤフォン端子２２、或いは、イヤフォン端子２４と連接する。
【考案の開示】
【考案が解決しようとする課題】
【０００４】
本考案は、音響効果再生装置を提供し、イヤフォンダブルジョイントを別途に購買しなくても、複数者が同時に使用できるようにすることを目的とする。
【課題を解決するための手段】
【０００５】
本考案の音響効果再生装置は、少なくとも一つのイヤフォンにより、携帯式デジタル音楽プレーヤーが提供する音響効果を再生し、特に、イヤフォン端子上に、少なくとも一つの連接ポートを設置し、連接ポートの設計は、その他のイヤフォン端子を連接し、使用者は連接ポートによりイヤフォンを接続することができ、本考案の音響効果再生装置は、公知のイヤフォンダブルジョイント功能を有し、別途にイヤフォンダブルジョイントを購買しなくても、複数者が同時に使用できる。
【考案の効果】
【０００６】
本考案の音響効果再生装置は、公知のイヤフォンダブルジョイント功能を有し、別途にイヤフォンダブルジョイントを購買しなくても、複数者が同時に使用できる。
【考案を実施するための最良の形態】
【０００７】
図２は、本考案の音響効果再生装置３２を示す図で、音響効果再生装置３２はイヤフォン４０、ケーブル３８、イヤフォン端子３４、からなる。
本考案のイヤフォン４０は、外にケーブル４０を延伸し、コネクタイヤフォン端子３４に集中する。
イヤフォン端子３４は、携帯式デジタル音楽プレーヤー上の端子スロットと対応し、端子スロットとイヤフォン端子３４が連接後、携帯式デジタル音楽プレーヤーで音響効果を再生する。
【０００８】
本考案が公知のものと異なるのは、イヤフォン端子３４の設計にある。
図に示したように、本考案のイヤフォン端子３４は公知のイヤフォン端子と異なり、本考案のイヤフォン端子３４上に少なくとも一つの連接ポート３６を設置している。
これは、過去に見られなかったものである。
連接ポート３６は、多くのイヤフォン端子フォーマットをサポートし、例えば、ユニバーサルシリアルバス(ＵＳＢ, Universal Serial Bus)連接ポート、フォン／ミニフォン（Phone/Mini-phone）イヤフォン連接ポート、同軸（Coaxial）連接ポート、高精細度マルチメディアインターフェース(ＨＤＭＶ, High-Definition Multimedia Interface)連接ポートなどである。
つまり、イヤフォン端子３４は、公知のイヤフォンダブルジョイント１６の功能を含んでいる。
【０００９】
図３は本考案の実施例を示す図である。
携帯式デジタル音楽プレーヤー４２上の端子スロットとイヤフォン端子３４の連接後、連接ポート３６は、更に、もう一つの音響効果再生装置４４を連接する。
本考案の連接ポートは各種形状があり、図３と図４を比較すると、図４のイヤフォン端子４６と図３のイヤフォン端子の形状は異なり、イヤフォン端子の形状変化は、本考案の考案範囲に属する。
この他、連接ポート３６の数量、形状は本考案の重点ではなく、各種形状、数目の連接ポートも本考案の範囲に含まれる。
【００１０】
本考案は公知の有線イヤフォンの主体構造を変化させ、音響効果再生装置は、イヤフォン端子以外に、更に、少なくとも一つの連接ポートを設置し、この連接ポートは、その他のイヤフォン端子を連接することができる。
本考案は、別途にイヤフォンダブルジョイントを購買しなくても、複数者が同時に使用できる。
本考案は、使用者の余分な負担を減少させ、使用者に、多元のサービスを提供することができる。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知技術の構造図である。
【図２】本考案の構造図である。
【図３】本考案の実施例図である。
【図４】本考案のもう一つの実施例図である。
【符号の説明】
【００１３】
１２  音響効果再生装置
１４  連接ポート
１６  イヤフォンダブルジョイント
１８  連接ポート
２０  端子スロット
２２  イヤフォン端子
２４  イヤフォン端子
３２  音響効果再生装置
３４  イヤフォン端子
３６  連接ポート
３８  ケーブル
４０  イヤフォン
４２  携帯式デジタル音楽プレーヤー
４４  音響効果再生装置
４６  イヤフォン端子
【図１】
0003136234.tif 000003
【図２】
0003136234.tif 000004
【図３】
0003136234.tif 000005
【図４】
0003136234.tif 000006